(57)【要約】【課題】磁気ヘッドの着脱時に可動部材のアーム部を容易に回動させることが可能な磁気ヘッドの支持装置を提供する。【解決手段】支持機構５０は、一対の板状部５１ｂを有する固定部材５１と、固定部材５１に回動可能に設けられ、一対のアーム部５２ａを有する可動部材５２と、可動部材５２をＡ方向に付勢するバネ部材５３とを備える。板状部５１ｂには、矢印Ｚ２方向に延びるように切欠部５１ｅが形成される。アーム部５２ａには、矢印Ｙ２方向に延びるように切欠部５２ｉが形成されるとともに、爪部５２ｅが形成される。切欠部５１ｅと切欠部５２ｉとが交差する領域に、磁気ヘッド３１を保持するブラケット３２に設けられた軸部３２ａが配置される。【選択図】図３
2010272181.tif 000002
【特許請求の範囲】
【請求項１】
対向するように配置される一対の板状部を有する固定部材と、
前記固定部材に回動可能に設けられ、一対のアーム部を有する可動部材と、
前記可動部材が所定の位置に配置されるように、前記可動部材を付勢する付勢部材と、を備えた磁気ヘッドの支持装置において、
前記板状部には、第１方向に延びるように第１切欠部が形成され、
前記アーム部には、前記第１方向と交差する第２方向に延びるように第２切欠部が形成されるとともに、爪部が形成され、
前記第１切欠部と前記第２切欠部とが交差する領域に、磁気ヘッドに設けられる軸部が配置される、ことを特徴とする磁気ヘッドの支持装置。
【請求項２】
請求項１に記載の磁気ヘッドの支持装置において、
前記第１切欠部は、前記板状部の下端部に形成され、
前記第２切欠部は、前記アーム部の先端部に形成され、
前記爪部は、前記アーム部の下端部に下方に突出するように形成されている、ことを特徴とする磁気ヘッドの支持装置。
【請求項３】
請求項２に記載の磁気ヘッドの支持装置において、
前記可動部材は、前記固定部材にスライド移動可能に設けられ、
前記アーム部の下端部には、前記第１切欠部と対応する領域に、傾斜部が形成されている、ことを特徴とする磁気ヘッドの支持装置。
【請求項４】
請求項１ないし請求項３のいずれかに記載の磁気ヘッドの支持装置において、
前記固定部材は、前記一対の板状部がカードの挿入方向に対して垂直になるように設けられ、
前記可動部材は、前記一対の板状部の間に配置され、
前記磁気ヘッドは、前記一対のアーム部の間に配置されている、ことを特徴とする磁気ヘッドの支持装置。
【請求項５】
軸部が設けられ、カードに対して処理を施す磁気ヘッドと、
請求項１ないし請求項４のいずれかに記載の磁気ヘッドの支持装置と、を備えることを特徴とするカード処理装置。
【発明の詳細な説明】
【技術分野】
【０００１】
本発明は、磁気ヘッドを移動可能に支持する磁気ヘッドの支持装置およびそれを備えたカード処理装置に関する。
【背景技術】
【０００２】
従来、磁気ヘッドと、磁気ヘッドの支持機構とを備えた磁気ヘッドユニットが知られている（たとえば、特許文献１参照）。
【０００３】
上記特許文献１には、図１４および図１５に示すように、カードに対して処理を施す磁気ヘッド５５０と、磁気ヘッド５５０を矢印Ｚ１およびＺ２方向に移動可能に支持する支持機構５００とを備えた磁気ヘッドユニット６００が開示されている。この磁気ヘッド５５０には、一対の軸部５５０ａが設けられている。
【０００４】
支持機構５００は、一対の板状部５０１ａを有する固定部材５０１と、固定部材５０１に回動可能に設けられ、一対のアーム部５０２ａを有する可動部材５０２と、可動部材５０２をＡ方向に付勢するバネ部材５０３とを含んでいる。
【０００５】
固定部材５０１の板状部５０１ａには、下端部に矢印Ｚ２方向に延びるように切欠部５０１ｂが形成されている。可動部材５０２のアーム部５０２ａには、先端部に矢印Ｙ２方向に延びるように切欠部５０２ｂが形成されている。そして、切欠部５０１ｂと切欠部５０２ｂとが交差する領域に、磁気ヘッド５５０の軸部５５０ａが配置されている。すなわち、可動部材５０２の切欠部５０２ｂは、磁気ヘッド５５０の軸部５５０ａを支持するとともに、固定部材５０１の切欠部５０１ｂは、軸部５５０ａの矢印Ｙ１およびＹ２方向への移動を規制している。
【０００６】
ここで、上記特許文献１の磁気ヘッドユニット６００では、支持機構５００から磁気ヘッド５５０を取り外す際に、可動部材５０２の矢印Ｙ２方向側の端部をバネ部材５０３の付勢力に抗してＤ方向に持ち上げることにより、可動部材５０２のアーム部５０２ａをＢ方向に回動させて、軸部５５０ａを切欠部５０１ｂ、５０２ｂから離脱させる必要がある。
【先行技術文献】
【特許文献】
【０００７】
【特許文献１】特許第３６６４６４４号公報
【発明の概要】
【発明が解決しようとする課題】
【０００８】
しかしながら、上記特許文献１に開示された従来の磁気ヘッドユニット６００では、可動部材５０２の矢印Ｙ２方向側の端部の近傍に、カード処理装置のその他の部品などが配置されることなどに起因して、当該端部をＤ方向に持ち上げることが困難な場合がある。
【０００９】
本発明は、上述した課題を解決するものであって、その目的とするところは、磁気ヘッドの着脱時に可動部材のアーム部を容易に回動させることが可能な磁気ヘッドの支持装置およびカード処理装置を提供することである。
【課題を解決するための手段】
【００１０】
本発明の磁気ヘッドの支持装置は、対向するように配置される一対の板状部を有する固定部材と、固定部材に回動可能に設けられ、一対のアーム部を有する可動部材と、可動部材が所定の位置に配置されるように、可動部材を付勢する付勢部材と、を備えた磁気ヘッドの支持装置において、板状部には、第１方向に延びるように第１切欠部が形成され、アーム部には、第１方向と交差する第２方向に延びるように第２切欠部が形成されるとともに、爪部が形成され、第１切欠部と第２切欠部とが交差する領域に、磁気ヘッドに設けられる軸部が配置される。
【００１１】
このように構成することによって、アーム部に形成された爪部を用いて、アーム部を容易に回動させることができる。これにより、磁気ヘッドの着脱（取り付け、および、取り外し）を容易に行うことができる。
【００１２】
上記磁気ヘッドの支持装置において、第１切欠部は、板状部の下端部に形成され、第２切欠部は、アーム部の先端部に形成され、爪部は、アーム部の下端部に下方に突出するように形成されていてもよい。このように構成すれば、支持装置の下方から磁気ヘッドの着脱を容易に行うことができる。
【００１３】
この場合において、可動部材は、固定部材にスライド移動可能に設けられ、アーム部の下端部には、第１切欠部と対応する領域に、傾斜部が形成されていてもよい。このように構成すれば、磁気ヘッドの軸部を固定部材の第１切欠部に挿入することにより、磁気ヘッドの軸部が可動部材の傾斜部に接触するので、可動部材をスライド移動させることができる。このため、磁気ヘッドの軸部を固定部材の第１切欠部に挿入することにより、磁気ヘッドの軸部を第１切欠部と第２切欠部とが交差する領域に配置することができるので、磁気ヘッドの取り付けをより容易に行うことができる。
【００１４】
上記磁気ヘッドの支持装置において、固定部材は、一対の板状部がカードの挿入方向に対して垂直になるように設けられ、可動部材は、一対の板状部の間に配置され、磁気ヘッドは、一対のアーム部の間に配置されていてもよい。なお、カードの挿入方向に対して垂直とは、カードの挿入方向に対して実質的に垂直な場合を含む。このように構成すれば、磁気ヘッドが一対のアーム部の間に配置されることにより、カードが磁気ヘッドに接触した際に、磁気ヘッドがカードの搬送方向に移動するのを抑制することができる。
【００１５】
また、本発明のカード処理装置は、軸部が設けられ、カードに対して処理を施す磁気ヘッドと、上記のいずれかの磁気ヘッドの支持装置と、を備える。
【００１６】
このように構成することによって、アーム部に形成された爪部を用いて、アーム部を容易に回動させることができる。これにより、磁気ヘッドの着脱（取り付け、および、取り外し）を容易に行うことができる。
【発明の効果】
【００１７】
本発明によれば、磁気ヘッドの着脱時に可動部材のアーム部を容易に回動させることが可能な磁気ヘッドの支持装置およびカード処理装置を提供することができる。
【図面の簡単な説明】
【００１８】
【図１】本発明の一実施形態によるカード処理装置が設けられたＡＴＭの構成を示したブロック図である。
【図２】図１のカード処理装置の概略を示した側面図である。
【図３】図２の磁気ヘッドユニットを示した正面図である。
【図４】図３の磁気ヘッドユニットの側面図である。
【図５】図３の磁気ヘッドユニットの平面図である。
【図６】図４の磁気ヘッドユニットから磁気ヘッドが取り外された状態を示した側面図である。
【図７】図６の３００−３００線に沿った断面図である。
【図８】図１のカード処理装置の電気的構成を示したブロック図である。
【図９】図７の支持機構に磁気ヘッドを取り付ける際の動作を説明するための図である。
【図１０】図３の磁気ヘッドユニットから磁気ヘッドを取り外す際の動作を説明するための図である。
【図１１】図３の磁気ヘッドユニットから磁気ヘッドを取り外す際の動作を説明するための図である。
【図１２】本実施形態の第１変形例による磁気ヘッドユニットを示した正面図である。
【図１３】本実施形態の第２変形例による磁気ヘッドユニットを示した平面図である。
【図１４】従来の磁気ヘッドユニットを示した正面図である。
【図１５】図１４の磁気ヘッドユニットの側面図である。
【発明を実施するための形態】
【００１９】
以下、本発明の実施形態について、図面を参照しながら説明する。なお、以下の実施形態では、ＡＴＭ（Automated Teller Machine：現金自動預け払い機）に設けられたカード処理装置に本発明を適用した場合について説明する。
【００２０】
まず、図１〜図８を参照して、本実施形態によるカード処理装置１００およびＡＴＭ１５０の構成について説明する。
【００２１】
ＡＴＭ１５０は、図１に示すように、ＡＴＭ本体１５１と、電源１５２と、カード処理装置１００とを備えている。ＡＴＭ１５０は、現金の引き出しなどの取引を利用者が行うために、金融機関などに設置されている。
【００２２】
本発明の一実施形態によるカード処理装置１００は、ＡＴＭ１５０に設けられており、電源１５２から電力が供給されている。このカード処理装置１００は、利用者により挿入されたカード２００に対して、所定の処理を施すように構成されている。
【００２３】
具体的には、カード処理装置１００は、カード２００の磁気ストライプ２００ａに記憶されたデータを読み出し、その読み出したデータをＡＴＭ本体１５１に送信する。また、カード処理装置１００は、ＡＴＭ本体１５１から送信されたデータを受信し、その受信したデータをカード２００の磁気ストライプ２００ａに書き込む。また、カード処理装置１００は、ＡＴＭ本体１５１からの指令に応じて、カード２００の磁気ストライプ２００ａに記憶されたデータを消去する。
【００２４】
カード処理装置１００は、図２に示すように、筐体１と、搬送ローラ２ａ〜２ｄと、磁気ヘッドユニット３と、押さえローラ４とを含んでいる。筐体１には、矢印Ｘ２方向側の端部にカード２００が挿入される挿入口１ａが設けられている。搬送ローラ２ａ〜２ｄは、それぞれ、搬送路Ｐを挟んで上下一対に設けられている。搬送ローラ２ａ〜２ｄは、カード２００を挿入方向（矢印Ｘ１方向）および排出方向（矢印Ｘ２方向）に搬送する。
【００２５】
磁気ヘッドユニット３は、押さえローラ４の下方に配置されている。この磁気ヘッドユニット３は、図３に示すように、カード２００の磁気ストライプ２００ａ（図１参照）に対して所定の処理を施す磁気ヘッド３１と、磁気ヘッド３１を矢印Ｚ１およびＺ２方向に移動可能に支持する支持機構５０とを含んでいる。なお、支持機構５０は、本発明の「支持装置」の一例である。
【００２６】
磁気ヘッド３１は、下方（矢印Ｚ１方向）に延びるリード端子３１ａを複数有する。この磁気ヘッド３１は、ブラケット３２に保持されている。ブラケット３２は、図４および図５に示すように、一対の軸部３２ａを有する。一対の軸部３２ａは、一方が矢印Ｘ１方向に突出するように形成されるとともに、他方が矢印Ｘ２方向に突出するように形成されている。
【００２７】
支持機構５０は、図３〜図７に示すように、固定部材５１と、固定部材５１に回動可能に設けられた可動部材５２と、可動部材５２を付勢するバネ部材５３と、支軸５４とを含んでいる。なお、バネ部材５３は、本発明の「付勢部材」の一例である。また、固定部材５１および可動部材５２は樹脂製であり、バネ部材５３および支軸５４は金属製である。
【００２８】
固定部材５１は、基部５１ａと、基部５１ａの両端に形成された一対の板状部５１ｂとを有する。基部５１ａには、固定部材５１を筐体１（図２参照）に取り付けるための取付孔５１ｃ（図４参照）が形成されている。一対の板状部５１ｂは、矢印Ｘ１方向（矢印Ｘ２方向）において、対向するように配置されている。また、板状部５１ｂは、カード２００（図１参照）の挿入方向（矢印Ｘ１方向）に対して実質的に垂直になるように配置されている。
【００２９】
板状部５１ｂは、図３に示すように、基部５１ａから矢印Ｚ２方向に延びる垂直部と、矢印Ｙ１方向に延びる水平部とを有しており、正面視において逆Ｌ字状に形成されている。板状部５１ｂの水平部の下端部５１ｄには、矢印Ｚ２方向に延びるように切欠部５１ｅが形成されている。なお、切欠部５１ｅは、本発明の「第１切欠部」の一例であり、矢印Ｚ２方向は、本発明の「第１方向」の一例である。この切欠部５１ｅは、軸部３２ａの矢印Ｙ１およびＹ２方向への移動を規制している。
【００３０】
また、板状部５１ｂには、支軸５４を矢印Ｙ２方向（矢印Ｙ１方向）にスライド移動可能に支持する溝部５１ｆが形成されている。また、板状部５１ｂには、図５に示すように、内側面に円柱状の突出部５１ｇが形成されている。
【００３１】
可動部材５２は、一対のアーム部５２ａと、一対のアーム部５２ａを連結する連結部５２ｂとを有する。可動部材５２は、固定部材５１の一対の板状部５１ｂの間に配置されており、アーム部５２ａは、それぞれ、板状部５１ｂの内側面と隣接するように配置されている。また、一対のアーム部５２ａの間には、磁気ヘッド３１が配置されている。
【００３２】
アーム部５２ａは、連結部５２ｂの両端からそれぞれ矢印Ｙ１方向に延びるように形成されている。このアーム部５２ａは、板状に形成されており、カード２００（図１参照）の挿入方向（矢印Ｘ１方向）に対して実質的に垂直になるように配置されている。また、アーム部５２ａには、図３に示すように、矢印Ｙ２方向側（連結部５２ｂ側）に支軸５４が挿入される挿入孔５２ｃが形成されている。
【００３３】
アーム部５２ａの下端部５２ｄには、フック状（鉤状）の爪部５２ｅが形成されている。具体的には、爪部５２ｅは、下端部５２ｄから矢印Ｚ１方向に延びる垂直部５２１ｅと、垂直部５２１ｅの先端から矢印Ｙ１方向に延びる水平部５２２ｅとを有する。したがって、爪部５２ｅは、正面視において板状部５１ｂの下端部５１ｄよりも下方に突出するように形成されている。
【００３４】
アーム部５２ａの下端部５２ｄには、傾斜部５２ｆが形成されている。すなわち、アーム部５２ａの下端部５２ｄと先端部５２ｈとの境界が面取りされている。傾斜部５２ｆは、正面視（矢印Ｙ１およびＹ２方向）において、切欠部５１ｅと対応する領域に配置されている。また、アーム部５２ａの下端部５２ｄには、係合部５２ｇが形成されている。
【００３５】
アーム部５２ａの先端部５２ｈには、矢印Ｙ２方向に延びるように切欠部５２ｉが形成されている。なお、切欠部５２ｉは、本発明の「第２切欠部」の一例であり、矢印Ｙ２方向は、本発明の「第２方向」の一例である。この切欠部５２ｉは、正面視において切欠部５１ｅと実質的に直交するように形成されており、軸部３２ａを支持している。すなわち、磁気ヘッド３１を保持するブラケット３２に設けられた軸部３２ａは、正面視において切欠部５１ｅと切欠部５２ｉとが交差する領域に配置されている。
【００３６】
アーム部５２ａには、上端部に突出部５１ｇと係合する凹部５２ｊが形成されている。すなわち、アーム部５２ａの凹部５２ｊと、板状部５１ｂの突出部５１ｇとは、アーム部５２ａのＡ方向への回動を規制する回動規制部として機能する。
【００３７】
バネ部材５３は、図３および図６に示すように、両端がアーム部５２ａの係合部５２ｇに係合するとともに、中央部が固定部材５１の基部５１ａに係合している。これにより、バネ部材５３は、可動部材５２が図３に示した所定の位置に配置されるように、可動部材５２をＡ方向に付勢する。
【００３８】
支軸５４は、固定部材５１の溝部５１ｆに挿入されるとともに、可動部材５２の挿入孔５２ｃに挿入されることにより、可動部材５２をＡ方向およびＢ方向に回動可能で、かつ、矢印Ｙ１およびＹ２方向にスライド移動可能に支持している。
【００３９】
また、カード処理装置１００は、図８に示すように、搬送ローラ２ａ〜２ｄを駆動するモータ５と、ＡＴＭ本体１５１とデータのやり取りを行うための入出力部６と、カード処理装置１００の動作を制御する制御部７とを含んでいる。
【００４０】
次に、図１〜図３を参照して、本実施形態によるカード処理装置１００の磁気ヘッドユニット３のカード処理時の動作について説明する。
【００４１】
図２において、筐体１の挿入口１ａから挿入されたカード２００は、搬送ローラ２ａ〜２ｄにより搬送される。そして、カード２００が押さえローラ４と磁気ヘッドユニット３との間を通過する際に、カード２００の磁気ストライプ２００ａ（図１参照）が磁気ヘッド３１（図３参照）に接触する。そして、接触した磁気ヘッド３１によりカード２００の磁気ストライプ２００ａに対して所定の処理が施される。
【００４２】
このとき、カード２００と磁気ヘッド３１とが接触することにより、図３に示す磁気ヘッド３１がバネ部材５３の付勢力に抗して矢印Ｚ１方向に移動するとともに、カード２００の反りに応じて磁気ヘッド３１が軸部３２ａを中心にしてＣ方向に回動する。その後、カード２００が通過し、カード２００と磁気ヘッド３１との接触状態が解除されると、バネ部材５３の付勢力により、磁気ヘッド３１が図３に示す所定の位置に復帰する。
【００４３】
次に、図３、図７および図９を参照して、本実施形態によるカード処理装置１００の磁気ヘッド３１の取り付け時の動作について説明する。
【００４４】
まず、作業員が図７に示す支持機構５０の下方から、磁気ヘッド３１を保持するブラケット３２の軸部３２ａ（図９参照）を、固定部材５１の板状部５１ｂの切欠部５１ｅに沿って矢印Ｚ２方向に挿入する。このとき、図９に示すように、軸部３２ａが可動部材５２のアーム部５２ａの傾斜部５２ｆと接触する。
【００４５】
そして、アーム部５２ａの凹部５２ｊが板状部５１ｂの突出部５１ｇと係合することにより可動部材５２のＡ方向への回動が規制されているので、軸部３２ａが矢印Ｚ２方向に挿入されることにより、可動部材５２がバネ部材５３の付勢力に抗して矢印Ｙ２方向にスライド移動する。すなわち、可動部材５２が切欠部５１ｅから矢印Ｙ２方向に退避する。このとき、支軸５４も可動部材５２とともに、板状部５１ｂの溝部５１ｆに沿って矢印Ｙ２方向に移動する。
【００４６】
その後、磁気ヘッド３１を保持するブラケット３２の軸部３２ａが図３に示す位置まで移動されると、バネ部材５３の付勢力により、可動部材５２および支軸５４が矢印Ｙ１方向にスライド移動し、可動部材５２および支軸５４が所定の位置に復帰する。そして、磁気ヘッド３１を保持するブラケット３２の軸部３２ａがアーム部５２ａの切欠部５２ｉに支持される。このようにして、磁気ヘッド３１が支持機構５０に取り付けられる。
【００４７】
次に、図３、図７、図１０および図１１を参照して、本実施形態によるカード処理装置１００の磁気ヘッド３１の取り外し時の動作について説明する。
【００４８】
まず、作業員が図３に示す支持機構５０の下方から、爪部５２ｅの水平部５２２ｅをＢ方向に引っ張ることにより、アーム部５２ａがバネ部材５３の付勢力に抗してＢ方向に回動される。このとき、図１０に示すように、可動部材５２の切欠部５２ｉに支持される軸部３２ａが、固定部材５１の切欠部５１ｅに沿って、矢印Ｚ１方向に移動する。
【００４９】
そして、図１１に示すように、可動部材５２がさらにＢ方向に回動されることにより、固定部材５１の切欠部５１ｅと可動部材５２の切欠部５２ｉとが交差する状態が解消され、軸部３２ａが切欠部５１ｅ、５２ｉから離脱して、磁気ヘッド３１が支持機構５０から取り外される。その後、作業員が爪部５２ｅを離すと、バネ部材５３の付勢力により、可動部材５２がＡ方向に回動し、可動部材５２が図７に示す所定の位置に復帰する。
【００５０】
本実施形態では、上記のように、可動部材５２のアーム部５２ａに爪部５２ｅを形成することによって、可動部材５２の連結部５２ｂを持ち上げることなく、爪部５２ｅを用いることにより、アーム部５２ａを容易に回動させることができる。このため、可動部材５２の連結部５２ｂの近傍にカード処理装置１００のその他の部品（図示省略）が配置されることにより、連結部５２ｂを持ち上げることが困難である場合にも、その部品を解体することなく、爪部５２ｅを用いてアーム部５２ａを回動させることができる。したがって、磁気ヘッド３１の着脱（取り付け、および、取り外し）を容易に行うことができる。また、可動部材５２の連結部５２ｂを持ち上げることが可能なように、作業員の指などが挿入される領域を確保しておく必要がないので、カード処理装置１００の小型化を図ることができる。
【００５１】
また、本実施形態では、爪部５２ｅを固定部材５１の下端部５１ｄよりも下方に突出するようにフック状に形成することによって、支持機構５０の下方から磁気ヘッド３１の着脱を容易に行うことができる。
【００５２】
また、本実施形態では、可動部材５２を固定部材５１にスライド移動可能に取り付けるとともに、可動部材５２の下端部５２ｄに傾斜部５２ｆを形成することによって、磁気ヘッド３１を保持するブラケット３２の軸部３２ａを固定部材５１の切欠部５１ｅに挿入することにより、軸部３２ａが可動部材５２の傾斜部５２ｆに接触するので、可動部材５２を矢印Ｙ２方向にスライド移動させることができる。このため、軸部３２ａを切欠部５１ｅに挿入することにより、軸部３２ａを切欠部５１ｅと切欠部５２ｉとが交差する領域に配置することができるので、磁気ヘッド３１の取り付けをより容易に行うことができる。
【００５３】
また、本実施形態では、磁気ヘッド３１を保持するブラケット３２に設けられた軸部３２ａを、切欠部５１ｅと切欠部５２ｉとが交差する領域に配置することによって、可動部材５２を回動またはスライド移動させることにより、ねじなどの締結部材を用いることなく、磁気ヘッド３１の着脱を行うことができる。
【００５４】
また、本実施形態では、カード２００と磁気ヘッド３１とが接触する際に、カード２００に反りが発生している場合、カード２００の反りに応じて磁気ヘッド３１が軸部３２ａを中心にしてＣ方向に回動することによって、カード２００に反りが発生している場合にも、カード２００に対して適切に処理を施すことができる。
【００５５】
また、本実施形態では、磁気ヘッド３１が一対のアーム部５２ａ間に配置されることによって、カード２００が磁気ヘッド３１に接触した際に、磁気ヘッド３１が矢印Ｘ１およびＸ２方向に移動するのを抑制することができる。
【００５６】
本発明は、上述した以外にも種々の実施形態を採用することができる。たとえば、上記実施形態では、ＡＴＭ１５０に設けられたカード処理装置１００に本発明を適用する例を示したが、これに限らず、入退室管理装置などのその他の上位装置に設けられたカード処理装置に本発明を適用してもよい。
【００５７】
また、上記実施形態では、アーム部５２ａに傾斜部５２ｆを形成する例を示したが、これに限らず、アーム部５２ａに傾斜部５２ｆが形成されていなくてもよい。この場合には、爪部５２ｅを用いて、アーム部５２ａをＢ方向に回動させることにより、磁気ヘッド３１を支持機構５０に取り付ければよい。
【００５８】
また、上記実施形態では、一対のアーム部５２ａの両方に爪部５２ｅが形成される例を示したが、これに限らず、一対のアーム部５２ａのいずれか一方のみに爪部５２ｅが形成されるようにしてもよい。
【００５９】
また、上記実施形態では、図３に示すように、爪部５２ｅの水平部５２２ｅが矢印Ｙ１およびＹ２方向において、固定部材５１の切欠部５１ｅの下方に配置される例を示したが、これに限らず、図１２に示した本実施形態の第１変形例による爪部５２ｅのように、水平部５２３ｅが矢印Ｙ１およびＹ２方向において、固定部材５１の切欠部５１ｅの下方に配置されていなくてもよい。このように構成すれば、支持機構５０に磁気ヘッド３１を取り付けるときに、磁気ヘッド３１を保持するブラケット３２の軸部３２ａを固定部材５１の切欠部５１ｅに挿入する際に、爪部５２ｅの水平部５２３ｅに遮られることなく、磁気ヘッド３１を矢印Ｚ２方向に移動させることができる。
【００６０】
また、上記実施形態では、爪部５２ｅが、下端部５２ｄから矢印Ｚ１方向に延びる垂直部５２１ｅと、垂直部５２１ｅの先端から矢印Ｙ１方向に延びる水平部５２２ｅとを有する例を示したが、これに限らず、爪部５２ｅが、垂直部５２１ｅの先端から矢印Ｙ１方向以外の方向に延びる水平部を有していてもよい。
【００６１】
たとえば、図１３に示した本実施形態の第２変形例のように、爪部５２ｅが、垂直部５２１ｅの先端から外方へ延びる水平部５２４ｅと、水平部５２４ｅの先端から矢印Ｙ１方向に延びる水平部５２５ｅとを有するようにしてもよい。このように構成すれば、第１変形例と同様に、磁気ヘッド３１を保持するブラケット３２の軸部３２ａを固定部材５１の切欠部５１ｅに挿入する際に、爪部５２ｅの水平部５２５ｅに遮られることなく、磁気ヘッド３１を矢印Ｚ２方向に移動させることができる。また、第１変形例に比べて、爪部５２ｅと支軸５４との距離を長くすることができるので、可動部材５２を回動させるために、爪部５２ｅに加える力を小さくすることができる。
【００６２】
また、上記実施形態では、アーム部５２ａの凹部５２ｊと、板状部５１ｂの突出部５１ｇとが、アーム部５２ａのＡ方向への回動を規制する回動規制部として機能する例を示したが、これに限らず、たとえば、アーム部５２ａに凹部が形成されておらず、アーム部５２ａの上端部と、板状部５１ｂの突出部５１ｇとが、回動規制部として機能するようにしてもよい。
【００６３】
また、上記実施形態では、固定部材５１に溝部５１ｆが形成されるとともに、可動部材５２に挿入孔５２ｃが形成されることにより、可動部材５２および支軸５４がスライド移動する例を示したが、これに限らず、固定部材５１に挿入孔が形成されるとともに、可動部材５２に溝部が形成されることにより、可動部材５２のみがスライド移動するようにしてもよい。
【００６４】
また、上記実施形態では、樹脂製の可動部材５２の挿入孔５２ｃに金属製の支軸５４が挿入される例を示したが、これに限らず、樹脂製の可動部材および支軸が一体的に形成されていてもよい。
【符号の説明】
【００６５】
３１      磁気ヘッド
３２ａ    軸部
５０      支持機構（支持装置）
５１      固定部材
５１ｂ    板状部
５１ｄ    下端部
５１ｅ    切欠部（第１切欠部）
５２      可動部材
５２ａ    アーム部
５２ｅ    爪部
５２ｆ    傾斜部
５２ｈ    先端部
５２ｉ    切欠部（第２切欠部）
５３      バネ部材（付勢部材）
１００    カード処理装置
２００    カード
【図１】
2010272181.tif 000003
【図２】
2010272181.tif 000004
【図３】
2010272181.tif 000005
【図４】
2010272181.tif 000006
【図５】
2010272181.tif 000007
【図６】
2010272181.tif 000008
【図７】
2010272181.tif 000009
【図８】
2010272181.tif 000010
【図９】
2010272181.tif 000011
【図１０】
2010272181.tif 000012
【図１１】
2010272181.tif 000013
【図１２】
2010272181.tif 000014
【図１３】
2010272181.tif 000015
【図１４】
2010272181.tif 000016
【図１５】
2010272181.tif 000017